(57)【要約】      （修正有）【課題】頭部に被り、脳に対して温度調節を行なう冷却装置を提供する。【解決手段】頭部に被るキャップ１０、及び冷却剤を収容した袋を備えた冷却部材２８，３４から構成する。キャップ１０は、頂部１２を有し、水等の冷却剤を収容した袋は、キャップの頂部内に固定されている。冷却剤は、少なくとも一つの水袋内に収納保存されている。また、第１の温度、および９０分の使用後に第１の温度より高い第２の温度を有する。冷却部材２８，３４およびキャップ１０を使用することにより、長時間安定して脳の温度調整を行なうことができる。脳震盪、頭部外傷および／または脳卒中を起こした場合、直ちに頭部を冷やすことで、容態の悪化を防止することができる。【選択図】図１
0003187971.tif 000002
【実用新案登録請求の範囲】
【請求項１】
人の頭部に被せられる頂部を有するキャップと、前記キャップの前記頂部内に固定された少なくとも一つの袋からなる冷却部材からなり、
前記少なくとも一つの袋内に少なくとも一つの冷却剤が収容されてなることを特徴とする冷却装置。
【請求項２】
前記少なくとも一つの冷却剤は、保存されていた冷凍設備から出された際の第１の温度を有し、９０分の使用後に前記第１の温度より高い第２の温度を有し、前記第１の温度が約華氏５℃〜約１５℃で、前記第２の温度が約華氏３２℃〜約６５℃、または約華氏３５℃〜約４５℃であることを特徴とする請求項１に記載の冷却装置。
【請求項３】
前記キャップは、人体の頸部に対応する頚部を備えることを特徴とする請求項１に記載の冷却装置。
【請求項４】
前記冷却剤は、大量に熱エネルギーを吸収できる流体で、ジェル状または液体状の冷媒であることを特徴とする請求項１に記載の冷却装置。
【請求項５】
人の頭部に被せられる頂部を有するキャップ、該キャップから頸に至る頸部を備え、
該キャップの頂部内及び頸部内にそれぞれ固定された少なくとも一つ又は複数の袋を備えた冷却部材をからなり、
上記袋内に第１の温度、および９０分の使用後に前記第１の温度より高い第２の温度を有する少なくとも一つの冷却剤を収容して、
該キャップ及び頸部を着用することにより、
患者の脳外傷を治療することに使用する冷却装置。
【請求項６】
前記冷却剤は、大量に熱エネルギーを吸収できる流体で、ジェル状または液体状の冷媒であることを特徴とする請求項５に記載の冷却装置。
【請求項７】
人の頭部に被せられるキャップと、
少なくとも一つの冷却部材と、を含むことを特徴とする脳に対して温度調節を行なう冷却装置。
【請求項８】
前記少なくとも一つの冷却部材は、保存されていた冷凍設備から出された際の第１の温度、および６０分の使用後に第１の温度より高い第２の温度を有し、前記第１の温度が約華氏８℃〜約１２℃で、前記第２の温度が約華氏３５℃〜約６５℃、または約華氏３５℃〜約４５℃であることを特徴とする請求項７に記載の冷却装置。
【請求項９】
前記キャップは、取り外し可能の状態で前記キャップに接続する少なくとも二本の固定バンドを有する固定装置を、さらに具えることを特徴とする請求項７に記載の冷却装置。
【請求項１０】
前記冷却部材は、頂端および底端を有するパックを少なくとも一つ含み、前記底端は閉鎖され、前記頂端は大量に熱エネルギーを吸収できる流体を配置する開口を有し、前記冷却部材のパックとキャップとの相対する側に相互に結合する面ファスナー、または相互に結合する凸金具と凹金具を設けていることを特徴とする請求項７に記載の冷却装置。
【考案の詳細な説明】
【技術分野】
【０００１】
本考案は、頭部に被る冷却装置に関し、特に、脳に対して温度調節を行なう冷却装置に関する。
【背景技術】
【０００２】
ある種のスポーツにおいて、頭部外傷などの重傷を負うケースがよく見られるが、米国神経学会は、機関誌であるNeurology誌に研究成果を発表し、「頭部外傷が引き起こす神経系統の障害」という事前に提出した仮説を確認した。元プロフットボールリーグ選手３，４３９名に対して追跡調査を実施したところ、神経変性疾患にかかる確率が一般の人の３倍であり、筋萎縮性側索硬化症（ＡＬＳ）にかかる確率が４倍に上り、アルツハイマー病およびパーキンソン病にかかる確率も一般の人より高いことがわかった。また、神経性疾患で死亡するリスクも一般の人より高いことがわかった。米国科学アカデミーの研究では、ランニングバック、ワイドレシーバー、パンター、キックリターナーのポジションおよびスピードを要求されるポジションの選手は、他のポジションより攻撃を受けやすいため、神経性疾患にかかりやすいことを指摘している。
【０００３】
最近の研究によると、１５〜４０％の元ボクサーが慢性脳損傷にかかっているのがわかった。また、大多数のプロボクサー（症状の見られないボクサーも含む）は、ある程度の脳損傷があることもわかっている。プロボクサーのパンチの威力は、１３ポンドのボーリングボールが時速２０マイルで衝突した衝撃、または重量の５２倍の加速度で衝突した衝撃に相当する。マギル大学の研究によると、大学レベルのプロフットボール選手の６０%以上が１シーズン中に脳震盪を起こし、自転車、馬、スキー、スケートボード、チアリーダーなどのスポーツでも外傷性脳損傷を起こすリスクがあることが判明した。
【０００４】
脳震盪、頭部外傷および／または脳卒中を起こした場合、頭部を冷やすことが短時間での回復に役立ち、長期にわたる悪影響を低減させる可能性があると考えられている。特に、一次性脳幹損傷など打撃による損傷は、頭部を冷却することで重度の頭部外傷による腫れおよび頭蓋内圧を軽減することができると考えられている。一次性脳幹損傷は、一次性脳幹損傷後の数分から数時間内に起こる生体反応の結果として生じる障害である二次性脳幹損傷と異なる。
二次性脳幹損傷は、全体的で、一次性脳幹損傷と異なり、組織障害を起こすと考えられている。この問題に関して、頭部および／または頚部が衝撃を受けた場合、二次性脳幹損傷の発生を最大限に減少させたり、防止したりするために、直ちに冷却または低温治療を施すのが望ましいと思われる。例えば、膜機能回復、細胞骨格破壊減少、軸索損傷の制限、アポトーシスの減少など、一次性脳幹損傷による障害を処置するのに有効である。
【０００５】
脳震盪を起こした場合に用いる頭部冷却装置および方法を本考案は提供するが、頭痛、偏頭痛、熱中症および脳卒中後の治療にも用いることができる。また、負傷していないアスリートなどに予防のために、用いることもできる。
【先行技術文献】
【特許文献】
【０００６】
【特許文献１】米国特許  第５，２８３，１１２号
【特許文献２】米国特許  第５，２３９，０３７号
【特許文献３】米国特許  第５，２９５，２６７号
【特許文献４】米国特許  第５，２３６，７７０号
【特許文献５】米国特許  第５，２３０，９２２号
【特許文献６】米国特許  第６，４９７，１１６号
【特許文献７】米国特許  第６，９０８，９５６号
【特許文献８】米国特許  第７，０５５，５７５号
【特許文献９】米国特許  第２００５／０１４５３７２号
【特許文献１０】特表２０１１−５１１１７６号公報
【考案の概要】
【考案が解決しようとする課題】
【０００７】
本考案の目的は、脳に対して温度調節を行なう冷却装置を提供することにある。
【課題を解決するための手段】
【０００８】
上述の目的を達成するため、本考案は、冷却装置を提供する。本考案の冷却装置は、キャップ、少なくとも一つの水袋を具えた少なくとも一つの冷却部材を備える。
キャップは、頂部を有する。少なくとも一つの水袋は、キャップの頂部内に固定されている。少なくとも一つの冷却剤は、少なくとも一つの水袋内に収納保存されている。また、第１の温度、および９０分の使用後に第１の温度より高い第２の温度を有する。冷却部材およびキャップを使用することにより、長時間安定して脳の温度調整を行なうことができる。脳震盪、頭部外傷および／または脳卒中を起こした場合、直ちに頭部を冷やすことで、容態の悪化を防止することができる。
【考案の効果】
【０００９】
本考案の冷却装置は、冷却部材およびキャップを使用することにより、長時間安定して脳の温度調整を行なうことができる。脳震盪、頭部外傷および／または脳卒中を起こした場合、直ちに頭部を冷やすことで、容態の悪化を防止することができる。怪我以外にも、頭痛、偏頭痛、熱中症および脳卒中後の治療にも用いることができる。
【図面の簡単な説明】
【００１０】
【図１】本考案の第１の実施形態による冷却装置を示す斜視図である。
【図２】本考案の第２の実施形態による冷却装置を示す斜視図である。
【図３】本考案の第３の実施形態による冷却装置を示す側面図である。
【図４】本考案の第４の実施形態による冷却装置を示す側面図である。
【図５】本考案の第５の実施形態による冷却装置を示す側面図である。
【図６】本考案の第６の実施形態による冷却装置を示す側面図である。
【図７】本考案の第６の実施形態による冷却装置を示す正面図である。
【図８】本考案の第６の実施形態による冷却装置を示す背面図である。
【図９】本考案の第７の実施形態による冷却装置を示す側面図である。
【図１０】本考案の第７の実施形態による冷却装置を示す背面図である。
【図１１】本考案の第８の実施形態による冷却装置を示す斜視図である。
【図１２】本考案の第８の実施形態による冷却装置を示す斜視図である。
【図１３】本考案の冷却部材を示す斜視図である。
【図１４】本考案の冷却部材を示す斜視図である。
【図１５】本考案の冷却袋を示す斜視図である。
【考案を実施するための形態】
【００１１】
以下、本考案の実施形態を図面に基づいて説明する。
【００１２】
図１を参照する。図１は、本考案の第１の実施形態による冷却装置を示す斜視図である。本考案の冷却装置は、頭部に被るキャップおよび冷却部材を含む。キャップには、冷却部材が収納されている。キャップは、異なる形態でもよく、外付けまたは取り外し可能の状態で、少なくとも一つの冷却部材を収納してもよい。
例えば、冷却装置は、複数のキャップ部材を有し、それぞれの部材が少なくとも一つの接続部を有し、冷却部材を外付けまたは取り外しで接続させる。図１に示すように、キャップ１０は、頭部に配置する前部部材２０および後部部材３０を有する。前部部材２０および後部部材３０は、耳を外部に露出させている。前部部材２０は、顔面側のカット２２対して顎ひも２４を設けてキャップ１０を頭部１２に固定させてもよい。前部部材２０および後部部材３０は、少なくとも一つの結合部材３６、３８を有し、前部部材２０および後部部材３０を頭部１２に固定させる。
【００１３】
前部部材２０および後部部材３０は、それぞれ少なくとも一つの接続部２６ａ、２６ｂ、３２ａ、３２ｂを有し、冷却部材を外付けまたは取り外しの接続を行なう部分を提供する。冷却部材は、キャップ１０の前部部材２０および後部部材３０から取り外して保存、洗浄／殺菌、冷却を行なう。冷却部材は、融解するため、一度使い終わると取り外して処理することができる。使い捨ての冷却部材について、以下で詳細に説明を加える。その他の実施例においては、冷却部材は、固定接続されており、キャップ全体の前部部材および／または後部部材を使用前に冷却しなければならない
【００１４】
接続部２６ａ、２６ｂは、キャップ１０の前部部材２０に冷却部材２８を固定させるが、これに限定されるものではない。接続部にそれぞれ一つ冷却部材２８を用いてもよい。また、複数の接続部３２ａ、３２ｂ、３２ｃが一つの冷却部材３４を固定するのに用いられてもよいが、これに限定されるものではない。接続部にそれぞれ一つ冷却部材２８を用いてもよい。
【００１５】
図２を参照する。図２は、本考案の第２の実施形態による冷却装置を示す斜視図である。図２に示すように、本考案の冷却装置４０は、単体のキャップ５０を備え、頭部５２に被せられて、顔面側のカット６２、顎ひも６４および少なくとも一つの接続部６６ａ、６６ｂ、６６ｃ、６６ｄを有する。カット６２は、顔面に対応している。少なくとも一つの接続部６６ａ、６６ｂ、６６ｃ、６６ｄは、キャップ５０内に設けられ、少なくとも一つの冷却部材６８ａ、６８ｂ、６８ｃ、６８ｄを収納または取り外し可能の状態で接続するが、これに限定されるものではない。複数の接続部６６ａ、６６ｂ、６６ｃ、６６ｄは、一つの冷却部材を固定するのに用いられてもよい。
【００１６】
図３および図４を参照する。図３は、本考案の第３の実施形態による冷却装置を示す側面図である。図４は、本考案の第４の実施形態による冷却装置を示す側面図である。図３および図４に示すように、冷却装置７０、１００は、ヘッドギヤー型で、耳出し穴８８、１１８を有するキャップ８０、１１０でもよい。キャップ８０、１１０は、上部８２、１１２、顔面に対応するカット８４、１１４、および下部８６、１１６を有する。
図３に示すように、キャップ８０の頂部７２および後部７４は、開放されており、冷却部材９０ａ、９０ｂを固定させ、冷却治療が必要な場合、冷却装置７０を動かさないで交換することができる。また、図４に示すように、キャップ１１０の隣接部１０２は、キャップ１１０の冠部および後部を含み、冷却部材１２０を収納するのに用いられる。
【００１７】
図５〜８を参照する。図５は、本考案の第５の実施形態による冷却装置を示す側面図である。図６は、本考案の第６の実施形態による冷却装置を示す側面図である。図７は、本考案の第６の実施形態による冷却装置を示す正面図である。図８は、本考案の第６の実施形態による冷却装置を示す背面図である。図５〜８に示すように、キャップ１３０は、少なくとも一部分が額を覆うか、接触する上部１３２、顔面に対応するカット１３４、後部１３６および頚部１３８を有し、頚部バンド１４０により頚部に巻き付くか、少なくとも頚部後部の一部分を覆う。後部１３６は、複数の開口１４２（図８参照）、および頚部後部に設けられた凹部１４４を有し、快適に着用できるようになっているが、これに限定されるものではない。頚部がキャップと一体成形されずに、個別の部材であってもよい。
【００１８】
図９および図１０を参照する。図９は、本考案の第７の実施形態による冷却装置を示す側面図である。図１０は、本考案の第７の実施形態による冷却装置を示す背面図である。図９および図１０に示すように、キャップ１３０は、固定装置を組み合わせてもよい。本実施形態の固定装置は、少なくとも二つの固定バンド１３９ａ、１３９ｂを有し、取り外し可能な状態でキャップ１３０の後部１３６に接続している。
図９に示すように、固定バンド１３９ａは、キャップ１３０の第１の側に付着し、固定バンド１３９ｂ（図示せず）は、キャップ１３０の第１の側に相対する第２の側に付着している。図１０に示すように、固定バンド１３９ａ、１３９ｂは、キャップ１３０を異なる大きさの頭部に固定するため、取り外し可能な状態でキャップ１３０の後部１３６を接続し、更に好適な放熱効果および／または固定効果を得ることができるが、これに限定されるものではない。固定バンド１３９ａ、１３９ｂにおいて、少なくとも一方の固定バンド１３９ｂがフックを有し、もう一方の固定バンド１３９ａがループを有し、フックおよびループを押し付け合わせると付くようになっている。また、ホックなどの結合部材を用いて取り外し可能な状態で接続してもよい。固定バンド１３９ａ、１３９ｂは、後頭葉の近くまたは真下で接合してもよい。なお、固定装置は、弾性材料からなる。
【００１９】
図９および図１０に示すように、固定バンド１３９ａ、１３９ｂは二本のみであるが、これに限定されるものではなく、二本より多くても、一本でもかまわない。キャップが複数の固定バンドを有してもよい。固定バンドは、取り外し可能な状態で接続するが、キャップに用いられる固定装置は、一本の固定バンドまたは複数の固定バンドでもよく、キャップの片側からもう一方の片側にまで延伸している。固定装置は、弾性材料からなり、引っ張られて後頭部を越え、後頭部の真下に位置させることができる。
【００２０】
図１１を参照する。図１１は、本考案の第８の実施形態による冷却装置を示す斜視図である。図１１に示すように、キャップ１３０の頚部１３８は、結合部材１４１ａ、１４１ｂを有し、取り外し可能な状態でキャップ１３０の頚部の前面位置に固定される。結合部材１４１ａ、１４１ｂは、解除しやすいように、フックおよびループを用いた相互に結合する固定装置、またはホックなどの結合部材を用いて取り外し可能な状態で接続してもよい。
【００２１】
図で示される連接部、冷却部材またはキャップ部材の数量は、限定されるものではない。
キャップは、人の頭部に対応する頂部、少なくとも一つの袋内に収納され、保存された少なくとも一つの冷却剤、および頂部に固定された少なくとも一つの袋を有する。また、キャップは、人体の頸部に対応する頚部をさらに備え、頚部に固定される少なくとも一つの袋、キャップ内に配置された頂部を自由に選択することができる。
冷却部剤は、キャップ内の一つまたは複数の袋内に収容される。袋は、二層の異なる材料からなり、第１の層または外層は、熱輻射が良好で防水機能を持つ薄い材料からなり、第２の層または内層は、断熱機能を有する。このような構造により患者の頭部から熱量が冷却部材に吸収されるが、外部から多くの熱量が吸収されることがない。例えば、特許文献１および特許文献２で開示された材料から第１の層を作ることができる。また、特許文献３、特許文献４および特許文献５で開示された材料から第２の層を作ることができる。
【００２２】
キャップ１０、５０（連接部および結合部材を含まず）は、柔らかい材料からなる。柔らかい材料は、例えば、クロロプレンゴムなどの天然または合成ゴム、シリコン樹脂などの合成樹脂、ポリアミド（ナイロン）などのポリマー、発泡ポリウレタンや未発泡のポリウレタンやプラスチックなどの柔らかい発泡材、ポリエステル繊維およびマイクロファイバーなどの繊維、およびこれらの組み合わせたものである。
【００２３】
キャップは、熱圧着材料からなる積層構造としてもよい。例えば、キャップが多層構造を有し、重ね合わせまたは接着により熱圧着材料を形成する。特に、キャップ１０は、二つの外層、および二つの外層の間の内層を有する。二つの外層は、例えば、ナイロンなどの高弾性の第１の材料からなる。内層は、例えば、ポリウレタンなどの高弾性の第２の材料からなる。
【００２４】
キャップは、相互に接続した複数の連結部からなる。連結部は、鎖により連結された硬い材料からなる。
【００２５】
図１１および図１２を参照する。図１２は、本考案の第８の実施形態による冷却装置を示す斜視図である。図１１および図１２に示すように、キャップの内部と冷却部材の相対する側には、フックおよびループが相互に結合する面ファスナーなどの固定装置を備える。そのため、冷却部材は、使用の際に所定の位置に固定し、使用前または使用後に取り外すことができる。その他に、冷却部材をキャップに固定する方法には、凸金具と凹金具を相互に結合させる方法がある。
その他の冷却部材の固定方法には、ホックなどの結合部材を用いる方法がある。例えば、一つまたは複数の冷却部材１５０が、キャップ１３０の頭部部分に取り外し可能の状態で固定される。また、一つまたは複数の冷却部材１５０が、キャップ１３０の頚部部分に取り外し可能の状態で固定されてもよい。
【００２６】
本考案の冷却装置は、衣服に装着することもできる。例えば、スポーツシャツのフード内に冷却装置を設けることにより、患者が冷却治療を受けている際も、体幹が体温を維持できる。
【００２７】
本考案のキャップは、金属部材を含まないようにしてもよい。これにより、ＭＲＩ使用時においても、冷却装置を使用し続けることができる。
【００２８】
図１３を参照する。図１３は、本考案の冷却部材を示す斜視図である。図１３に示すように、冷却部材は、頂端１６４、底端１６６およびチューブ１６２を有するパック１６０を少なくとも一つから構成する。
チューブ底端１６６は、縫い合わせなどにより閉鎖されている。頂端１６４は、冷却部材を配置するフラップ／開口１６８を有し、パック１６０を洗浄したり消毒したりするため、取り外すのに便利である。なお、冷却部材は、冷却装置とともに冷凍する必要はない。
冷却剤は、例えば、流体であり、大量に熱エネルギーを吸収できるジェル状または液体状の冷媒であって、袋に密封されてパック内に収容される。
【００２９】
図１４を参照する。図１４は、本考案の冷却部材を示す斜視図である。図１４に示すように、
冷却部材のパック１６０は、取り外ししやすいように、一方の側面とキャップとの間に、フックおよびループが相互に結合する面ファスナー、相互に結合する凸金具と凹金具、またはその他相互に結合する固定装置を設けている。
冷却部材は、パック１６０は、キャップに対して取り外ししやすいように、面ファスナーからなる固定装置を一方の側面に設けてもよい。パック１６０は、面ファスナーのフックまたはループを設けた部分１７０をキャップ内面に相対する側に設けて、キャップ１３０内部の対応する部分と取り外し可能な状態で接続する。
【００３０】
冷却部材は、冷却剤の液体を収納する単一のパックを有してもよい。冷却剤は、大量に熱を吸収する冷媒ジェルまたは冷媒液である。なお、冷却剤は、高い融解エンタルピーを有するものが好適である。また、冷却剤は、第１の液体および少なくとも一つの添加剤を含む溶液であってもよい。
【００３１】
第１の冷却剤は、プロパンジオール、エチレングリコール、エタノールやメタノールなどの短鎖アルコール、イソプロピルアルコール、グリセリン、およびこれらの組み合わせを含むが、これに限定されるものではない。第１の冷却剤は、アンモニア、二酸化炭素、非ハロゲン化の炭化水素などのよく使われる冷媒でもよいし、塩化カルシウム、除氷剤または防凍剤でもよい。好適な添加剤は、細菌の繁殖を防止する物質、第１の冷却剤を長期間ジェル状に維持する物質、融解を低下させる物質、およびその組み合わせを含むが、これに限定されるものではない。添加剤は、ヒドロキシエチルセルロース、エチレン被覆シリカゲルまたはその組み合わせを含んでもよい。また、添加剤は、食塩水でもよい。
【００３２】
冷却剤として使用する水溶液は、含水量が凝固点に影響を与えることを考慮しなければならない。例えば、ジプロピレングリコールモノメチルエーテルと水の混合物中は、少なくとも３０％のジプロピレングリコールモノメチルエーテルを加えると凝固点が華氏１０℃になる。また、ジプロピレングリコールモノメチルエーテルと水の混合物中は、少なくとも６０％のジプロピレングリコールモノメチルエーテルを加えると凝固点が華氏−６０℃になる。これ以外に、第１の冷却剤は、適当な第２の冷却剤と調合することができる。第１の冷却剤は、プロパンジオールとエチレングリコールの混合物であるが、これに限定されるものではない。第１の冷却剤は、ゼラチンでもよい。
【００３３】
冷却部材は、第１の容器および少なくとも一つの第２の容器を含む。第１の容器は、中空で柔らかくて強く、第１の冷却剤を収納している。第２の容器は、中空で柔らかくて強く、第２の液体を収納している。第１の冷却剤は、第１の凝固点を有し、第２の冷却剤は、第１の凝固点より高い第２の凝固点を有する。第１の冷却剤の凝固点は、華氏１０℃〜−９０℃の範囲であるが、これに限定されるものではない。第１の冷却剤の凝固点は、華氏０℃〜−８５℃の範囲でも、華氏−５℃〜−８０℃の範囲でも、華氏１０℃〜−７５℃の範囲でもよい。第１の冷却剤および水溶液には、添加剤を混合してもしなくてもよい。
【００３４】
第２の冷却剤は、華氏５℃より高い凝固点を有するが、これに限定されるものではない。第２の液体の凝固点は、華氏１０℃より高くても、さらに高くてもかまわない。また、華氏２０℃より高くても、さらに高くてもよいし、華氏３０℃より高くても、さらに高くてもよい。
【００３５】
適切な第２の冷却剤は、水、フェノール、ニトロベンゼン、ナフタレン、ヨウ素、ベンゼン、ギ酸、酢酸、生理食塩水およびエチレンディプロマイドを含む。
【００３６】
冷却剤は、膨潤剤（アルミニウム層状ケイ酸塩）を含んでもよい。
【００３７】
冷却部材には、瞬間冷却袋を用いてもよい。瞬間冷却袋は、流体またはジェルを含む冷却袋で、活性化されると吸熱反応を起こす。冷却袋が、圧縮されたり、粉砕されるなどして活性化されると吸熱反応を起こす。特許文献１および特許文献２で開示された材料から第１の層を作ることができる。なお、特許文献６〜９で開示された冷却袋を参考にすることができる。
【００３８】
冷却部材は、使い捨てでもよい。例えば、袋内の氷および／または水の使用は、パック内側を使うこともできる。また、本体内には、例えば、ネジ蓋のようないかなる種類のシールドを設けることができる。図１５を参照する。図１５は、本考案の冷却袋を示す斜視図である。図１５に示すように、冷却部材は、異なる流体が充填された袋を有する。流体は、使い捨てでもよい。使いやすさのため、袋は分割されてもよい。パック１６０は、複数の液体が充填された袋１７２ａ、１７２ｂ、１７２ｃ、１７２ｄ、１７２ｅを有する。パック１６０内に任意の数量の袋を配置して患者の頭部を囲むようにすることができる。
【００３９】
本考案の冷却装置は、使用開始時の表面温度の範囲が約華氏２℃〜約１５℃であることが好適であるが、これに限定されるものではない。約華氏５℃〜約１２℃でも、約華氏８℃〜約１０℃でもよい。
【００４０】
冷却装置の使用温度は、華氏３２℃かそれ以上の温度が好適である。冷却装置の使用開始時の表面温度が使用温度になるまでにかかる時間は、約２秒〜約５分であるが、これに限定されるものではない。約１０秒〜約３分でもよい。
【００４１】
冷却装置が約華氏３２℃〜約６５℃の温度範囲で冷却使用条件を維持するのは、少なくとも約１時間であるが、これに限定されるものではない。約華氏３５℃〜約５５℃でも少なくとも約１時間である。冷却装置が使用後１時間で維持できる温度範囲は、約華氏３２℃〜約４５℃、約華氏４１℃〜約４４℃、約華氏４２℃〜約４６℃、またはこれらの範囲内である。また、冷却装置の温度は、１時間を過ぎても使用温度の２００％を超えることがないが、これに限定されるものではない。１５０％、１２５％、１０５％という数値もある。
【００４２】
冷却装置が７５分を過ぎると冷却装置の温度範囲は、約華氏３５℃〜約６０℃であるが、これに限定されるものではない。約華氏３５℃〜約６５℃、約華氏４０℃〜約５５℃、約華氏４５℃〜約５０℃、約華氏３２℃〜約４５℃、またはこれらの範囲内である。
【００４３】
冷却装置が２時間を過ぎると冷却装置の温度範囲は、約華氏３２℃〜約７５℃であるが、これに限定されるものではない。約華氏４０℃〜約７５℃、約華氏４５℃〜約７５℃、約華氏５５℃〜約７５℃、約華氏３２℃〜約４５℃、またはこれらの範囲内である。
【００４４】
冷却装置が３時間を過ぎると冷却装置の温度範囲は、約華氏３２℃〜約８０℃であるが、これに限定されるものではない。約華氏４０℃〜約８０℃、約華氏４５℃〜約８０℃、約華氏５５℃〜約８０℃、約華氏３２℃〜約４５℃、またはこれらの範囲内である。
【００４５】
冷却装置が４時間を過ぎると冷却装置の温度範囲は、約華氏３２℃〜約８０℃であるが、これに限定されるものではない。約華氏４５℃〜約８０℃、約華氏５５℃〜約８０℃、約華氏３２℃〜約５０℃、またはこれらの範囲内である。
【００４６】
例えば、キャップなどの冷却装置の冷却部材が、冷凍庫から出された際の最初の表面温度は、約華氏１０℃（または８〜１２℃）であるが、使用１時間後には約華氏３２℃〜約４０℃、２時間後には約華氏４０℃〜約５０℃になる。
【００４７】
使用方法について説明を加える。冷却部材およびキャップがそれぞれ別々に保管されている場合、キャップが患者の頭部に被せられる前後どちらかに、冷凍庫、冷蔵庫などの冷凍設備にあらかじめ保存されていた冷却部材が、キャップ内に配置される。例えば、図１、図２、図５および図８に示す実施形態では、冷却部材がキャップ内に配置されてから、患者の頭部に被せられる。図３および図４に示す実施形態では、キャップが患者の頭部に被せられてから、冷却部材がキャップ内に配置される。
【００４８】
キャップは、患者に適用して所定の時間を用いると消耗する。所定時間は約３０分〜１２０分であるが、これに限定されるものではない。約３０分〜９０分、約３０分〜７５分にもできる。そのため、例えば、患者がキャップを使用できる時間を４５分にすることができる。
【００４９】
キャップは、運動中でも使用することができる。特に、図９および図１０で示される固定装置は、着用者がキャップを強く固定することができ、使用中に移動することもできる。
【００５０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００５１】
１０  キャップ
１２  頭部
２０  前部部材
２２  カット
２４  顎ひも
２６ａ  接続部
２６ｂ  接続部
２８  冷却部材
３０  後部部材
３２ａ  接続部
３２ｂ  接続部
３２ｃ  接続部
３４  冷却部材
３６  結合部材
３８  結合部材
４０  冷却装置
５０  キャップ
５２  頭部
６２  カット
６４  顎ひも
６６ａ  接続部
６６ｂ  接続部
６６ｃ  接続部
６６ｄ  接続部
６８ａ  冷却部材
６８ｂ  冷却部材
６８ｃ  冷却部材
６８ｄ  冷却部材
７０  冷却装置
７２  頂部
７４  後部
８０  キャップ
８２  上部
８４  カット
８６  下部
８８  耳出し穴
９０ａ  冷却部材
９０ｂ  冷却部材
１００  冷却装置
１０２  隣接部
１１０  キャップ
１１２  上部
１１４  カット
１１６  下部
１１８  耳穴
１２０  冷却部材
１３０  キャップ
１３２  上部
１３４  カット
１３６  後部
１３８  頚部
１３９ａ  固定バンド
１３９ｂ  固定バンド
１４０  頚部バンド
１４１ａ  結合部材
１４１ｂ  結合部材
１４２  開口
１４４  凹部
１５０  冷却部材
１５２  冷却部材
１６０  パック
１６２  チューブ
１６４  頂端
１６６  底端
１６８  フラップ／開口
１７０  面ファスナー
１７２ａ  袋
１７２ｂ  袋
１７２ｃ  袋
１７２ｄ  袋
１７２ｅ  袋
【図１】
0003187971.tif 000003
【図２】
0003187971.tif 000004
【図３】
0003187971.tif 000005
【図４】
0003187971.tif 000006
【図５】
0003187971.tif 000007
【図６】
0003187971.tif 000008
【図７】
0003187971.tif 000009
【図８】
0003187971.tif 000010
【図９】
0003187971.tif 000011
【図１０】
0003187971.tif 000012
【図１１】
0003187971.tif 000013
【図１２】
0003187971.tif 000014
【図１３】
0003187971.tif 000015
【図１４】
0003187971.tif 000016
【図１５】
0003187971.tif 000017
【手続補正書】
【提出日】平成25年10月22日(2013.10.22)
【手続補正１】
【補正対象書類名】明細書
【補正対象項目名】全文
【補正方法】変更
【補正の内容】
【考案の詳細な説明】
【技術分野】
【０００１】
本考案は、頭部に被る冷却装置に関し、特に、脳に対して温度調節を行なう冷却装置に関する。
【背景技術】
【０００２】
ある種のスポーツにおいて、頭部外傷などの重傷を負うケースがよく見られるが、米国神経学会は、機関誌であるNeurology誌に研究成果を発表し、「頭部外傷が引き起こす神経系統の障害」という事前に提出した仮説を確認した。元プロフットボールリーグ選手３，４３９名に対して追跡調査を実施したところ、神経変性疾患にかかる確率が一般の人の３倍であり、筋萎縮性側索硬化症（ＡＬＳ）にかかる確率が４倍に上り、アルツハイマー病およびパーキンソン病にかかる確率も一般の人より高いことがわかった。また、神経性疾患で死亡するリスクも一般の人より高いことがわかった。米国科学アカデミーの研究では、ランニングバック、ワイドレシーバー、パンター、キックリターナーのポジションおよびスピードを要求されるポジションの選手は、他のポジションより攻撃を受けやすいため、神経性疾患にかかりやすいことを指摘している。
【０００３】
最近の研究によると、１５〜４０％の元ボクサーが慢性脳損傷にかかっているのがわかった。また、大多数のプロボクサー（症状の見られないボクサーも含む）は、ある程度の脳損傷があることもわかっている。プロボクサーのパンチの威力は、１３ポンドのボーリングボールが時速２０マイルで衝突した衝撃、または重量の５２倍の加速度で衝突した衝撃に相当する。マギル大学の研究によると、大学レベルのプロフットボール選手の６０%以上が１シーズン中に脳震盪を起こし、自転車、馬、スキー、スケートボード、チアリーダーなどのスポーツでも外傷性脳損傷を起こすリスクがあることが判明した。
【０００４】
脳震盪、頭部外傷および／または脳卒中を起こした場合、頭部を冷やすことが短時間での回復に役立ち、長期にわたる悪影響を低減させる可能性があると考えられている。特に、一次性脳幹損傷など打撃による損傷は、頭部を冷却することで重度の頭部外傷による腫れおよび頭蓋内圧を軽減することができると考えられている。一次性脳幹損傷は、一次性脳幹損傷後の数分から数時間内に起こる生体反応の結果として生じる障害である二次性脳幹損傷と異なる。
二次性脳幹損傷は、全体的で、一次性脳幹損傷と異なり、組織障害を起こすと考えられている。この問題に関して、頭部および／または頚部が衝撃を受けた場合、二次性脳幹損傷の発生を最大限に減少させたり、防止したりするために、直ちに冷却または低温治療を施すのが望ましいと思われる。例えば、膜機能回復、細胞骨格破壊減少、軸索損傷の制限、アポトーシスの減少など、一次性脳幹損傷による障害を処置するのに有効である。
【０００５】
脳震盪を起こした場合に用いる頭部冷却装置および方法を本考案は提供するが、頭痛、偏頭痛、熱中症および脳卒中後の治療にも用いることができる。また、負傷していないアスリートなどに予防のために、用いることもできる。
【先行技術文献】
【特許文献】
【０００６】
【特許文献１】米国特許  第５，２８３，１１２号
【特許文献２】米国特許  第５，２３９，０３７号
【特許文献３】米国特許  第５，２９５，２６７号
【特許文献４】米国特許  第５，２３６，７７０号
【特許文献５】米国特許  第５，２３０，９２２号
【特許文献６】米国特許  第６，４９７，１１６号
【特許文献７】米国特許  第６，９０８，９５６号
【特許文献８】米国特許  第７，０５５，５７５号
【特許文献９】米国特許  第２００５／０１４５３７２号
【特許文献１０】特表２０１１−５１１１７６号公報
【考案の概要】
【考案が解決しようとする課題】
【０００７】
本考案の目的は、脳に対して温度調節を行なう冷却装置を提供することにある。
【課題を解決するための手段】
【０００８】
上述の目的を達成するため、本考案は、冷却装置を提供する。本考案の冷却装置は、キャップ、少なくとも一つの水袋を具えた少なくとも一つの冷却部材を備える。
キャップは、頂部を有する。少なくとも一つの水袋は、キャップの頂部内に固定されている。少なくとも一つの冷却剤は、少なくとも一つの水袋内に収納保存されている。また、第１の温度、および９０分の使用後に第１の温度より高い第２の温度を有する。冷却部材およびキャップを使用することにより、長時間安定して脳の温度調整を行なうことができる。脳震盪、頭部外傷および／または脳卒中を起こした場合、直ちに頭部を冷やすことで、容態の悪化を防止することができる。
【考案の効果】
【０００９】
本考案の冷却装置は、冷却部材およびキャップを使用することにより、長時間安定して脳の温度調整を行なうことができる。脳震盪、頭部外傷および／または脳卒中を起こした場合、直ちに頭部を冷やすことで、容態の悪化を防止することができる。怪我以外にも、頭痛、偏頭痛、熱中症および脳卒中後の治療にも用いることができる。
【図面の簡単な説明】
【００１０】
【図１】本考案の第１の実施形態による冷却装置を示す斜視図である。
【図２】本考案の第２の実施形態による冷却装置を示す斜視図である。
【図３】本考案の第３の実施形態による冷却装置を示す側面図である。
【図４】本考案の第４の実施形態による冷却装置を示す側面図である。
【図５】本考案の第５の実施形態による冷却装置を示す側面図である。
【図６】本考案の第６の実施形態による冷却装置を示す側面図である。
【図７】本考案の第６の実施形態による冷却装置を示す正面図である。
【図８】本考案の第６の実施形態による冷却装置を示す背面図である。
【図９】本考案の第７の実施形態による冷却装置を示す側面図である。
【図１０】本考案の第７の実施形態による冷却装置を示す背面図である。
【図１１】本考案の第８の実施形態による冷却装置を示す斜視図である。
【図１２】本考案の第８の実施形態による冷却装置を示す斜視図である。
【図１３】本考案の冷却部材を示す斜視図である。
【図１４】本考案の冷却部材を示す斜視図である。
【図１５】本考案の冷却袋を示す斜視図である。
【考案を実施するための形態】
【００１１】
以下、本考案の実施形態を図面に基づいて説明する。
【００１２】
図１を参照する。図１は、本考案の第１の実施形態による冷却装置を示す斜視図である。本考案の冷却装置は、頭部に被るキャップおよび冷却部材を含む。キャップには、冷却部材が収納されている。キャップは、異なる形態でもよく、外付けまたは取り外し可能の状態で、少なくとも一つの冷却部材を収納してもよい。
例えば、冷却装置は、複数のキャップ部材を有し、それぞれの部材が少なくとも一つの接続部を有し、冷却部材を外付けまたは取り外しで接続させる。図１に示すように、キャップ１０は、頭部に配置する前部部材２０および後部部材３０を有する。前部部材２０および後部部材３０は、耳を外部に露出させている。前部部材２０は、顔面側のカット２２対して顎ひも２４を設けてキャップ１０を頭部１２に固定させてもよい。前部部材２０および後部部材３０は、少なくとも一つの結合部材３６、３８を有し、前部部材２０および後部部材３０を頭部１２に固定させる。
【００１３】
前部部材２０および後部部材３０は、それぞれ少なくとも一つの接続部２６ａ、２６ｂ、３２ａ、３２ｂを有し、冷却部材を外付けまたは取り外しの接続を行なう部分を提供する。冷却部材は、キャップ１０の前部部材２０および後部部材３０から取り外して保存、洗浄／殺菌、冷却を行なう。冷却部材は、融解するため、一度使い終わると取り外して処理することができる。使い捨ての冷却部材について、以下で詳細に説明を加える。その他の実施例においては、冷却部材は、固定接続されており、キャップ全体の前部部材および／または後部部材を使用前に冷却しなければならない
【００１４】
接続部２６ａ、２６ｂは、キャップ１０の前部部材２０に冷却部材２８を固定させるが、これに限定されるものではない。接続部にそれぞれ一つ冷却部材２８を用いてもよい。また、複数の接続部３２ａ、３２ｂ、３２ｃが一つの冷却部材３４を固定するのに用いられてもよいが、これに限定されるものではない。接続部にそれぞれ一つ冷却部材２８を用いてもよい。
【００１５】
図２を参照する。図２は、本考案の第２の実施形態による冷却装置を示す斜視図である。図２に示すように、本考案の冷却装置４０は、単体のキャップ５０を備え、頭部５２に被せられて、顔面側のカット６２、顎ひも６４および少なくとも一つの接続部６６ａ、６６ｂ、６６ｃ、６６ｄを有する。カット６２は、顔面に対応している。少なくとも一つの接続部６６ａ、６６ｂ、６６ｃ、６６ｄは、キャップ５０内に設けられ、少なくとも一つの冷却部材６８ａ、６８ｂ、６８ｃ、６８ｄを収納または取り外し可能の状態で接続するが、これに限定されるものではない。複数の接続部６６ａ、６６ｂ、６６ｃ、６６ｄは、一つの冷却部材を固定するのに用いられてもよい。
【００１６】
図３および図４を参照する。図３は、本考案の第３の実施形態による冷却装置を示す側面図である。図４は、本考案の第４の実施形態による冷却装置を示す側面図である。図３および図４に示すように、冷却装置７０、１００は、ヘッドギヤー型で、耳出し穴８８、１１８を有するキャップ８０、１１０でもよい。キャップ８０、１１０は、上部８２、１１２、顔面に対応するカット８４、１１４、および下部８６、１１６を有する。
図３に示すように、キャップ８０の頂部７２および後部７４は、開放されており、冷却部材９０ａ、９０ｂを固定させ、冷却治療が必要な場合、冷却装置７０を動かさないで交換することができる。また、図４に示すように、キャップ１１０の隣接部１０２は、キャップ１１０の冠部および後部を含み、冷却部材１２０を収納するのに用いられる。
【００１７】
図５〜８を参照する。図５は、本考案の第５の実施形態による冷却装置を示す側面図である。図６は、本考案の第６の実施形態による冷却装置を示す側面図である。図７は、本考案の第６の実施形態による冷却装置を示す正面図である。図８は、本考案の第６の実施形態による冷却装置を示す背面図である。図５〜８に示すように、キャップ１３０は、少なくとも一部分が額を覆うか、接触する上部１３２、顔面に対応するカット１３４、後部１３６および頚部１３８を有し、頚部バンド１４０により頚部に巻き付くか、少なくとも頚部後部の一部分を覆う。後部１３６は、複数の開口１４２（図８参照）、および頚部後部に設けられた凹部１４４を有し、快適に着用できるようになっているが、これに限定されるものではない。頚部がキャップと一体成形されずに、個別の部材であってもよい。
【００１８】
図９および図１０を参照する。図９は、本考案の第７の実施形態による冷却装置を示す側面図である。図１０は、本考案の第７の実施形態による冷却装置を示す背面図である。図９および図１０に示すように、キャップ１３０は、固定装置を組み合わせてもよい。本実施形態の固定装置は、少なくとも二つの固定バンド１３９ａ、１３９ｂを有し、取り外し可能な状態でキャップ１３０の後部１３６に接続している。
図９に示すように、固定バンド１３９ａは、キャップ１３０の第１の側に付着し、固定バンド１３９ｂ（図示せず）は、キャップ１３０の第１の側に相対する第２の側に付着している。図１０に示すように、固定バンド１３９ａ、１３９ｂは、キャップ１３０を異なる大きさの頭部に固定するため、取り外し可能な状態でキャップ１３０の後部１３６を接続し、更に好適な放熱効果および／または固定効果を得ることができるが、これに限定されるものではない。固定バンド１３９ａ、１３９ｂにおいて、少なくとも一方の固定バンド１３９ｂがフックを有し、もう一方の固定バンド１３９ａがループを有し、フックおよびループを押し付け合わせると付くようになっている。また、ホックなどの結合部材を用いて取り外し可能な状態で接続してもよい。固定バンド１３９ａ、１３９ｂは、後頭葉の近くまたは真下で接合してもよい。なお、固定装置は、弾性材料からなる。
【００１９】
図９および図１０に示すように、固定バンド１３９ａ、１３９ｂは二本のみであるが、これに限定されるものではなく、二本より多くても、一本でもかまわない。キャップが複数の固定バンドを有してもよい。固定バンドは、取り外し可能な状態で接続するが、キャップに用いられる固定装置は、一本の固定バンドまたは複数の固定バンドでもよく、キャップの片側からもう一方の片側にまで延伸している。固定装置は、弾性材料からなり、引っ張られて後頭部を越え、後頭部の真下に位置させることができる。
【００２０】
図１１を参照する。図１１は、本考案の第８の実施形態による冷却装置を示す斜視図である。図１１に示すように、キャップ１３０の頚部１３８は、結合部材１４１ａ、１４１ｂを有し、取り外し可能な状態でキャップ１３０の頚部の前面位置に固定される。結合部材１４１ａ、１４１ｂは、解除しやすいように、フックおよびループを用いた相互に結合する固定装置、またはホックなどの結合部材を用いて取り外し可能な状態で接続してもよい。
【００２１】
図で示される連接部、冷却部材またはキャップ部材の数量は、限定されるものではない。
キャップは、人の頭部に対応する頂部、少なくとも一つの袋内に収納され、保存された少なくとも一つの冷却剤、および頂部に固定された少なくとも一つの袋を有する。また、キャップは、人体の頸部に対応する頚部をさらに備え、頚部に固定される少なくとも一つの袋、キャップ内に配置された頂部を自由に選択することができる。
冷却部剤は、キャップ内の一つまたは複数の袋内に収容される。袋は、二層の異なる材料からなり、第１の層または外層は、熱輻射が良好で防水機能を持つ薄い材料からなり、第２の層または内層は、断熱機能を有する。このような構造により患者の頭部から熱量が冷却部材に吸収されるが、外部から多くの熱量が吸収されることがない。例えば、特許文献１および特許文献２で開示された材料から第１の層を作ることができる。また、特許文献３、特許文献４および特許文献５で開示された材料から第２の層を作ることができる。
【００２２】
キャップ１０、５０（連接部および結合部材を含まず）は、柔らかい材料からなる。柔らかい材料は、例えば、クロロプレンゴムなどの天然または合成ゴム、シリコン樹脂などの合成樹脂、ポリアミド（ナイロン）などのポリマー、発泡ポリウレタンや未発泡のポリウレタンやプラスチックなどの柔らかい発泡材、ポリエステル繊維およびマイクロファイバーなどの繊維、およびこれらの組み合わせたものである。
【００２３】
キャップは、熱圧着材料からなる積層構造としてもよい。例えば、キャップが多層構造を有し、重ね合わせまたは接着により熱圧着材料を形成する。特に、キャップ１０は、二つの外層、および二つの外層の間の内層を有する。二つの外層は、例えば、ナイロンなどの高弾性の第１の材料からなる。内層は、例えば、ポリウレタンなどの高弾性の第２の材料からなる。
【００２４】
キャップは、相互に接続した複数の連結部からなる。連結部は、鎖により連結された硬い材料からなる。
【００２５】
図１１および図１２を参照する。図１２は、本考案の第８の実施形態による冷却装置を示す斜視図である。図１１および図１２に示すように、キャップの内部と冷却部材の相対する側には、フックおよびループが相互に結合する面ファスナーなどの固定装置を備える。そのため、冷却部材は、使用の際に所定の位置に固定し、使用前または使用後に取り外すことができる。その他に、冷却部材をキャップに固定する方法には、凸金具と凹金具を相互に結合させる方法がある。
その他の冷却部材の固定方法には、ホックなどの結合部材を用いる方法がある。例えば、一つまたは複数の冷却部材１５０が、キャップ１３０の頭部部分に取り外し可能の状態で固定される。また、一つまたは複数の冷却部材１５０が、キャップ１３０の頚部部分に取り外し可能の状態で固定されてもよい。
【００２６】
本考案の冷却装置は、衣服に装着することもできる。例えば、スポーツシャツのフード内に冷却装置を設けることにより、患者が冷却治療を受けている際も、体幹が体温を維持できる。
【００２７】
本考案のキャップは、金属部材を含まないようにしてもよい。これにより、ＭＲＩ使用時においても、冷却装置を使用し続けることができる。
【００２８】
図１３を参照する。図１３は、本考案の冷却部材を示す斜視図である。図１３に示すように、冷却部材は、頂端１６４、底端１６６およびチューブ１６２を有するパック１６０を少なくとも一つから構成する。
チューブ底端１６６は、縫い合わせなどにより閉鎖されている。頂端１６４は、冷却部材を配置するフラップ／開口１６８を有し、パック１６０を洗浄したり消毒したりするため、取り外すのに便利である。なお、冷却部材は、冷却装置とともに冷凍する必要はない。
冷却剤は、例えば、流体であり、大量に熱エネルギーを吸収できるジェル状または液体状の冷媒であって、袋に密封されてパック内に収容される。
【００２９】
図１４を参照する。図１４は、本考案の冷却部材を示す斜視図である。図１４に示すように、
冷却部材のパック１６０は、取り外ししやすいように、一方の側面とキャップとの間に、フックおよびループが相互に結合する面ファスナー、相互に結合する凸金具と凹金具、またはその他相互に結合する固定装置を設けている。
冷却部材は、パック１６０は、キャップに対して取り外ししやすいように、面ファスナーからなる固定装置を一方の側面に設けてもよい。パック１６０は、面ファスナーのフックまたはループを設けた部分１７０をキャップ内面に相対する側に設けて、キャップ１３０内部の対応する部分と取り外し可能な状態で接続する。
【００３０】
冷却部材は、冷却剤の液体を収納する単一のパックを有してもよい。冷却剤は、大量に熱を吸収する冷媒ジェルまたは冷媒液である。なお、冷却剤は、高い融解エンタルピーを有するものが好適である。また、冷却剤は、第１の液体および少なくとも一つの添加剤を含む溶液であってもよい。
【００３１】
第１の冷却剤は、プロパンジオール、エチレングリコール、エタノールやメタノールなどの短鎖アルコール、イソプロピルアルコール、グリセリン、およびこれらの組み合わせを含むが、これに限定されるものではない。第１の冷却剤は、アンモニア、二酸化炭素、非ハロゲン化の炭化水素などのよく使われる冷媒でもよいし、塩化カルシウム、除氷剤または防凍剤でもよい。好適な添加剤は、細菌の繁殖を防止する物質、第１の冷却剤を長期間ジェル状に維持する物質、融解を低下させる物質、およびその組み合わせを含むが、これに限定されるものではない。添加剤は、ヒドロキシエチルセルロース、エチレン被覆シリカゲルまたはその組み合わせを含んでもよい。また、添加剤は、食塩水でもよい。
【００３２】
冷却剤として使用する水溶液は、含水量が凝固点に影響を与えることを考慮しなければならない。例えば、ジプロピレングリコールモノメチルエーテルと水の混合物中は、少なくとも３０％のジプロピレングリコールモノメチルエーテルを加えると凝固点が華氏１０度になる。また、ジプロピレングリコールモノメチルエーテルと水の混合物中は、少なくとも６０％のジプロピレングリコールモノメチルエーテルを加えると凝固点が華氏−６０度になる。これ以外に、第１の冷却剤は、適当な第２の冷却剤と調合することができる。第１の冷却剤は、プロパンジオールとエチレングリコールの混合物であるが、これに限定されるものではない。第１の冷却剤は、ゼラチンでもよい。
【００３３】
冷却部材は、第１の容器および少なくとも一つの第２の容器を含む。第１の容器は、中空で柔らかくて強く、第１の冷却剤を収納している。第２の容器は、中空で柔らかくて強く、第２の液体を収納している。第１の冷却剤は、第１の凝固点を有し、第２の冷却剤は、第１の凝固点より高い第２の凝固点を有する。第１の冷却剤の凝固点は、華氏１０度〜−９０度の範囲であるが、これに限定されるものではない。第１の冷却剤の凝固点は、華氏０度〜−８５度の範囲でも、華氏−５度〜−８０度の範囲でも、華氏１０度〜−７５度の範囲でもよい。第１の冷却剤および水溶液には、添加剤を混合してもしなくてもよい。
【００３４】
第２の冷却剤は、華氏５度より高い凝固点を有するが、これに限定されるものではない。第２の液体の凝固点は、華氏１０度より高くても、さらに高くてもかまわない。また、華氏２０度より高くても、さらに高くてもよいし、華氏３０度より高くても、さらに高くてもよい。
【００３５】
適切な第２の冷却剤は、水、フェノール、ニトロベンゼン、ナフタレン、ヨウ素、ベンゼン、ギ酸、酢酸、生理食塩水およびエチレンディプロマイドを含む。
【００３６】
冷却剤は、膨潤剤（アルミニウム層状ケイ酸塩）を含んでもよい。
【００３７】
冷却部材には、瞬間冷却袋を用いてもよい。瞬間冷却袋は、流体またはジェルを含む冷却袋で、活性化されると吸熱反応を起こす。冷却袋が、圧縮されたり、粉砕されるなどして活性化されると吸熱反応を起こす。特許文献１および特許文献２で開示された材料から第１の層を作ることができる。なお、特許文献６〜９で開示された冷却袋を参考にすることができる。
【００３８】
冷却部材は、使い捨てでもよい。例えば、袋内の氷および／または水の使用は、パック内側を使うこともできる。また、本体内には、例えば、ネジ蓋のようないかなる種類のシールドを設けることができる。図１５を参照する。図１５は、本考案の冷却袋を示す斜視図である。図１５に示すように、冷却部材は、異なる流体が充填された袋を有する。流体は、使い捨てでもよい。使いやすさのため、袋は分割されてもよい。パック１６０は、複数の液体が充填された袋１７２ａ、１７２ｂ、１７２ｃ、１７２ｄ、１７２ｅを有する。パック１６０内に任意の数量の袋を配置して患者の頭部を囲むようにすることができる。
【００３９】
本考案の冷却装置は、使用開始時の表面温度の範囲が約華氏２度〜約１５度であることが好適であるが、これに限定されるものではない。約華氏５度〜約１２度でも、約華氏８〜約１０度でもよい。
【００４０】
冷却装置の使用温度は、華氏３２度かそれ以上の温度が好適である。冷却装置の使用開始時の表面温度が使用温度になるまでにかかる時間は、約2秒〜約５分であるが、これに限定されるものではない。約１０秒〜約３分でもよい。
【００４１】
冷却装置が約華氏３２度〜約６５度の温度範囲で冷却使用条件を維持するのは、少なくとも約１時間であるが、これに限定されるものではない。約華氏３５度〜約５５度でも少なくとも約１時間である。冷却装置が使用後１時間で維持できる温度範囲は、約華氏３２度〜約４５度、約華氏４１度〜約４４度、約華氏４２度〜約４６度、またはこれらの範囲内である。また、冷却装置の温度は、１時間を過ぎても使用温度の２００％を超えることがないが、これに限定されるものではない。１５０％、１２５％、１０５％という数値もある。
【００４２】
冷却装置が７５分を過ぎると冷却装置の温度範囲は、約華氏３５度〜約６０度であるが、これに限定されるものではない。約華氏３５度〜約６５度、約華氏４０度〜約５５度、約華氏４５度〜約５０度、約華氏３２度〜約４５度、またはこれらの範囲内である。
【００４３】
冷却装置が２時間を過ぎると冷却装置の温度範囲は、約華氏３２度〜約７５度であるが、これに限定されるものではない。約華氏４０度〜約７５度、約華氏４５度〜約７５度、約華氏５５度〜約７５度、約華氏３２度〜約４５度、またはこれらの範囲内である。
【００４４】
冷却装置が３時間を過ぎると冷却装置の温度範囲は、約華氏３２度〜約８０度であるが、これに限定されるものではない。約華氏４０度〜約８０度、約華氏４５度〜約８０度、約華氏５５度〜約８０度、約華氏３２度〜約４５度、またはこれらの範囲内である。
【００４５】
冷却装置が４時間を過ぎると冷却装置の温度範囲は、約華氏３２度〜約８０度であるが、これに限定されるものではない。約華氏４５度〜約８０度、約華氏５５度〜約８０度、約華氏３２度〜約５０度、またはこれらの範囲内である。
【００４６】
例えば、キャップなどの冷却装置の冷却部材が、冷凍庫から出された際の最初の表面温度は、約華氏１０度（または８〜１２度）であるが、使用１時間後には約華氏３２度〜約４０度、２時間後には約華氏４０度〜約５０度になる。
【００４７】
使用方法について説明を加える。冷却部材およびキャップがそれぞれ別々に保管されている場合、キャップが患者の頭部に被せられる前後どちらかに、冷凍庫、冷蔵庫などの冷凍設備にあらかじめ保存されていた冷却部材が、キャップ内に配置される。例えば、図１、図２、図５および図８に示す実施形態では、冷却部材がキャップ内に配置されてから、患者の頭部に被せられる。図３および図４に示す実施形態では、キャップが患者の頭部に被せられてから、冷却部材がキャップ内に配置される。
【００４８】
キャップは、患者に適用して所定の時間を用いると消耗する。所定時間は約３０分〜１２０分であるが、これに限定されるものではない。約３０分〜９０分、約３０分〜７５分にもできる。そのため、例えば、患者がキャップを使用できる時間を４５分にすることができる。
【００４９】
キャップは、運動中でも使用することができる。特に、図９および図１０で示される固定装置は、着用者がキャップを強く固定することができ、使用中に移動することもできる。
【００５０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００５１】
１０  キャップ
１２  頭部
２０  前部部材
２２  カット
２４  顎ひも
２６ａ  接続部
２６ｂ  接続部
２８  冷却部材
３０  後部部材
３２ａ  接続部
３２ｂ  接続部
３２ｃ  接続部
３４  冷却部材
３６  結合部材
３８  結合部材
４０  冷却装置
５０  キャップ
５２  頭部
６２  カット
６４  顎ひも
６６ａ  接続部
６６ｂ  接続部
６６ｃ  接続部
６６ｄ  接続部
６８ａ  冷却部材
６８ｂ  冷却部材
６８ｃ  冷却部材
６８ｄ  冷却部材
７０  冷却装置
７２  頂部
７４  後部
８０  キャップ
８２  上部
８４  カット
８６  下部
８８  耳出し穴
９０ａ  冷却部材
９０ｂ  冷却部材
１００  冷却装置
１０２  隣接部
１１０  キャップ
１１２  上部
１１４  カット
１１６  下部
１１８  耳穴
１２０  冷却部材
１３０  キャップ
１３２  上部
１３４  カット
１３６  後部
１３８  頚部
１３９ａ  固定バンド
１３９ｂ  固定バンド
１４０  頚部バンド
１４１ａ  結合部材
１４１ｂ  結合部材
１４２  開口
１４４  凹部
１５０  冷却部材
１５２  冷却部材
１６０  パック
１６２  チューブ
１６４  頂端
１６６  底端
１６８  フラップ／開口
１７０  面ファスナー
１７２ａ  袋
１７２ｂ  袋
１７２ｃ  袋
１７２ｄ  袋
１７２ｅ  袋
【手続補正２】
【補正対象書類名】実用新案登録請求の範囲
【補正対象項目名】請求項２
【補正方法】変更
【補正の内容】
【請求項２】
前記少なくとも一つの冷却剤は、保存されていた冷凍設備から出された際の第１の温度を有し、９０分の使用後に前記第１の温度より高い第２の温度を有し、前記第１の温度が約華氏５度〜約１５度で、前記第２の温度が約華氏３２度〜約６５度、または約華氏３５度〜約４５度であることを特徴とする請求項１に記載の冷却装置。
【手続補正３】
【補正対象書類名】実用新案登録請求の範囲
【補正対象項目名】請求項７
【補正方法】変更
【補正の内容】
【請求項７】
人の頭部を覆うキャップと、
前記キャップの頂部内に取り外し可能に配置された少なくとも一つの袋からなる冷却部材を具えてなる、
ことを特徴とする冷却装置。
【手続補正４】
【補正対象書類名】実用新案登録請求の範囲
【補正対象項目名】請求項８
【補正方法】変更
【補正の内容】
【請求項８】
前記少なくとも一つの冷却部材は、保存されていた冷凍設備から出された際の第１の温度、および６０分の使用後に第１の温度より高い第２の温度を有し、前記第１の温度が約華氏８度〜約１２度で、前記第２の温度が約華氏３５度〜約６５度、または約華氏３５度〜約４５度であることを特徴とする請求項７に記載の冷却装置。